(57)【要約】【課題】コンセントプラグを配線ダクトに装着してＡＣ／ＤＣアダプタを接続する際、ＡＣ／ＤＣアダプタが宙に浮いたり、ＡＣ／ＤＣアダプタが宙に浮かないようにコード等で括りつけたりする必要のない配線ダクト用コンセントプラグを提供する。【解決手段】電力線ＰＬを備えた配線ダクトＤに取り付けられるハウジング２０と、配線ダクトＤの導体１０に接続される電極３２と、ハウジング２０内に収納され電極３２を介して電力線ＰＬに接続される刃受けと、ハウジング２０の表面に設けられ他の機器８３に電力を供給する電源ケーブル８４が接続される栓刃挿入口７１と、ハウジング２０を配線ダクトＤに着脱自在に装着すると共に装着時にハウジング２０の電極３２を電力線ＰＬに接続し且つ離脱時に前記電極３２と電力線ＰＬとの接続が解除される接続保持手段６と、ハウジング２０に設けられるＡＣ／ＤＣアダプタ用トレイ９と、を備えた。【選択図】図１
2008182854.tif 000002
【特許請求の範囲】
【請求項１】
電力線に接続される導体を備えた配線ダクトに取り付けられるハウジングと、配線ダクトの導体に接続される電極および該電極に接続される電線と、ハウジング内に収納され電線および電極を介して電力線に接続される刃受けと、ハウジングの表面に設けられ他の機器に電力を供給する電源ケーブルの電源プラグの栓刃が挿入されて刃受けに接続される栓刃挿入口と、ハウジングを配線ダクトに着脱自在に装着すると共に装着時にハウジングの電極を配線ダクトの導体に接続し且つ離脱時に前記電極と導体との接続が解除される接続保持手段と、ハウジングに設けられ他の機器に直流を供給するＡＣ／ＤＣアダプタを載置するためのＡＣ／ＤＣアダプタ用トレイと、を備えて成ることを特徴とする配線ダクト用コンセントプラグ。
【請求項２】
ＡＣ／ＤＣアダプタ用トレイをハウジングの上側又は下側に重ねて配設することを特徴とする請求項１記載の配線ダクト用コンセントプラグ。
【請求項３】
ＡＣ／ＤＣアダプタ用トレイをハウジングの側面に並設して成ることを特徴とする請求項１記載の配線ダクト用コンセントプラグ。
【請求項４】
ＡＣ／ＤＣアダプタ用トレイを、ハウジングの一側面から外方に延設されＡＣ／ＤＣアダプタが載置される底面部と、底面部のハウジングと反対側の端縁から立設される側壁部と、で構成し、底面部のハウジング側の端縁をハウジングの一側面に略水平に枢支して、底面部が略水平となる状態と底面部がハウジングの一側面に沿って起立した状態との間でＡＣ／ＤＣアダプタ用トレイが回動自在となるように設けて成ることを特徴とする請求項３記載の配線ダクト用コンセントプラグ。
【請求項５】
ＡＣ／ＤＣアダプタ用トレイを、ＡＣ／ＤＣアダプタが載置される底面部と、底面部の端縁から立設される側壁部とで構成し、底面部がハウジングの下面に沿う状態と底面部がハウジングの下面から所定間隔をあけて下側に位置する状態との間で上下動自在となるように側壁部をハウジングの側面に上下スライド自在に支持させて成ることを特徴とする請求項２記載の配線ダクト用コンセントプラグ。
【発明の詳細な説明】
【技術分野】
【０００１】
本発明は、オフィスや住宅等の屋内に配設され電力線（導体）を収容した配線ダクトに装着される配線ダクト用コンセントプラグに関するものである。
【背景技術】
【０００２】
従来より、給電用の屋内配線を配線ダクト内に収容し、配線ダクトに、電灯等の照明器具や、他の機器に電力を供給する電源ケーブルの電源プラグを接続するためのコンセントプラグを装着して使用する配線ダクトシステムが利用されている（例えば、特許文献１参照）。
【０００３】
配線ダクトは、電力線に接続される導体を備えており、この配線ダクトに装着される配線ダクト用コンセントプラグは、ハウジングと、配線ダクトの導体に接続される電極および電線と、ハウジング内に収納され電線を介して電力線に接続される刃受けと、ハウジングの表面に設けられ栓刃が挿入される栓刃挿入口と、を備えており、他の機器に電力を供給する電源ケーブルの電源プラグの栓刃を栓刃挿入口に挿入した際に、栓刃と刃受けとが接続されるようになっている。また、配線ダクト用コンセントプラグには、ハウジングを配線ダクトに着脱自在に装着する接続保持手段が設けてあり、装着時にハウジングの電極が配線ダクトの導体に接続され、離脱時に前記電極と導体との接続が解除されるようになっている。
【特許文献１】特開昭５３−８４１９５号公報
【発明の開示】
【発明が解決しようとする課題】
【０００４】
ところで、従来の配線ダクト用コンセントプラグにあっては、電力線から供給される交流を直流で作動する他の機器で使用するためＡＣ／ＤＣアダプタを介在させて使用することが多いものである。この場合、配線ダクトが天井に配設されていると、ＡＣ／ＤＣアダプタに接続される電源ケーブルの電源プラグの栓刃を配線ダクト用コンセントプラグの栓刃挿入口に挿入した際、ＡＣ／ＤＣアダプタ本体が配線ダクトの下方で宙に浮いた状態となってしまうため、コード等でＡＣ／ＤＣアダプタ本体や電源ケーブルを配線ダクトや配線ダクト用コンセントプラグに括り付けて固定しており、固定するのに手間がかかる上に見栄えが悪いという問題があった。
【０００５】
本発明は上記事情に鑑みてなされたものであり、その目的とするところは、コンセントプラグを配線ダクトに装着してＡＣ／ＤＣアダプタを接続する際、ＡＣ／ＤＣアダプタが宙に浮いたり、ＡＣ／ＤＣアダプタが宙に浮かないようにコード等で括りつけたりする必要のない配線ダクト用コンセントプラグを提供することにある。
【課題を解決するための手段】
【０００６】
上記課題を解決するために請求項１に係る配線ダクト用コンセントプラグにあっては、電力線ＰＬに接続される導体１０を備えた配線ダクトＤに取り付けられるハウジング２０と、配線ダクトＤの導体１０に接続される電極３２および該電極３２に接続される電線３１と、ハウジング２０内に収納され電線３１および電極３２を介して電力線ＰＬに接続される刃受けと、ハウジング２０の表面に設けられ他の機器８に電力を供給する電源ケーブル８４の電源プラグの栓刃が挿入されて刃受けに接続される栓刃挿入口７１と、ハウジング２０を配線ダクトＤに着脱自在に装着すると共に装着時にハウジング２０の電極３２を配線ダクトＤの導体１０に接続し且つ離脱時に前記電極３２と導体１０との接続が解除される接続保持手段６と、ハウジング２０に設けられ他の機器８に直流を供給するＡＣ／ＤＣアダプタ８５を載置するためのＡＣ／ＤＣアダプタ用トレイ９と、を備えて成ることを特徴とするものである。
【０００７】
このような構成とすることで、ＡＣ／ＤＣアダプタ８５をＡＣ／ＤＣアダプタ用トレイ９に載置するだけでＡＣ／ＤＣアダプタ８５が宙に浮かずに固定されると共に見栄えが悪くならず、手間もかからないものである。
【０００８】
また、請求項２に係る発明にあっては、請求項１に係る発明において、ＡＣ／ＤＣアダプタ用トレイ９をハウジング２０の上側又は下側に重ねて配設することを特徴とするものである。
【０００９】
このような構成とすることで、平面視におけるＡＣ／ＤＣアダプタ用トレイ９の設置スペースを別に確保する必要がないものである。
【００１０】
また、請求項３に係る発明にあっては、請求項１に係る発明において、ＡＣ／ＤＣアダプタ用トレイ９をハウジング２０の側面に並設して成ることを特徴とするものである。
【００１１】
このような構成とすることで、ＡＣ／ＤＣアダプタ用トレイ９を設けた配線ダクト用コンセントプラグ２の上下の厚みが増大せずに済むものである。
【００１２】
また、請求項４に係る発明にあっては、請求項３に係る発明において、ＡＣ／ＤＣアダプタ用トレイ９を、ハウジング２０の一側面から外方に延設されＡＣ／ＤＣアダプタ８５が載置される底面部９１と、底面部９１のハウジング２０と反対側の端縁から立設される側壁部９２と、で構成し、底面部９１のハウジング２０側の端縁をハウジング２０の一側面に略水平に枢支して、底面部９１が略水平となる状態と底面部９１がハウジング２０の一側面に沿って起立した状態との間でＡＣ／ＤＣアダプタ用トレイ９が回動自在となるように設けて成ることを特徴とするものである。
【００１３】
このような構成とすることで、ＡＣ／ＤＣアダプタ用トレイ９を使用しない場合にデッドスペースとなるＡＣ／ＤＣアダプタ用トレイ９の占有スペースを極力無くすことができて、コンパクトに納めることが可能となる。
【００１４】
また、請求項５に係る発明にあっては、請求項４に係る発明において、ＡＣ／ＤＣアダプタ用トレイ９を、ＡＣ／ＤＣアダプタ８５が載置される底面部９１と、底面部９１の端縁から立設される側壁部９２とで構成し、底面部９１がハウジング２０の下面に沿う状態と底面部９１がハウジング２０の下面から所定間隔をあけて下側に位置する状態との間で上下動自在となるように側壁部９２をハウジング２０の側面に上下スライド自在に支持させて成ることを特徴とするものである。
【００１５】
このような構成とすることで、ＡＣ／ＤＣアダプタ用トレイ９を使用しない場合にデッドスペースとなるＡＣ／ＤＣアダプタ用トレイ９の占有スペースを極力無くすことができて、コンパクトに納めることが可能となる。
【発明の効果】
【００１６】
本発明によれば、ＡＣ／ＤＣアダプタの電源ケーブルを栓刃挿入口に接続して使用する場合、ＡＣ／ＤＣアダプタが配線ダクトの下方で宙に浮いた状態となってしまったり、浮いた状態とならないようにコード等でＡＣ／ＤＣアダプタやその電源ケーブルを配線ダクトや配線ダクト用コンセントプラグに括り付けて固定した場合に手間がかかる上に見栄えが悪くなってしまう、といったことがなく、また手間もかからないものである。
【発明を実施するための最良の形態】
【００１７】
以下、本発明の実施形態について添付図面に基づいて説明する。まず、配線ダクトについて説明する。
【００１８】
配線ダクトＤは、図２に示すように、例えば吊具にて吊り下げる等して天井に配設して、照明をはじめ本発明の配線ダクト用コンセントプラグ等の様々な機器（電気機器）が装着されるもので、ケース１と導体１０とで主体が構成される。
【００１９】
ケース１は、断面がリップ付きコ字状をした長尺の箱状部材で、図２（ａ）に示すように各部位を底壁１１、側壁１２、上壁１３とする。リップ部となる底壁１１の間がケース１の内部と外部とを連通する開口１４となり、この開口１４は下側を向くように配設される。側壁１２の内面には、導体１０を保持するための導体保持部１５が設けてある。導体保持部１５は、導体１０を上下から挟持する導体挟持リブ１５ａを側壁１２の内面から突設すると共に、導体挟持リブ１５ａ間に架設リブ１５ｂを架設して形成してあり、導体１０は架設リブ１５ｂの内側（ケース１の中心側）の面と両挟持リブの先端部とによって保持されている。導体１０は、断面が矩形状をした長尺のもので、ケース１の長手方向に沿って配設される。そして、上壁１３の内面には、アース導体１６を保持するアース導体保持部１７が設けてある。アース導体保持部１７は、上壁１３の内面に設けられてアース導体１６を挟持する断面Ｌ字状をした二つのアース導体挟持リブによって形成され、このアース導体挟持リブによってアース導体１６が保持される。
【００２０】
次に、本発明の配線ダクト用コンセントプラグ（以下、単にコンセントプラグ２という）について図２、図３に基づいて説明する。
【００２１】
コンセントプラグ２は、ハウジング２０と、電極３２および電線３１と、刃受けおよび栓刃挿入口７１からなるコンセント部７と、接続保持手段６と、本発明のＡＣ／ＤＣアダプタ用トレイ９とで主体が構成され、さらに本実施形態では前記構成に加えて、インターフェース部４とコネクタ５とで主体が構成される電力線通信装置を備えている。
【００２２】
ハウジング２０は、略箱形状をしたもので、内部に電線３１、コンセント部７の刃受け、電力線通信装置のインターフェース部４が収納されるとともに、上面に配線ダクトＤに固定するための電極３２を備えた接続保持手段６が設けられ、上面以外の表面にコンセント部７の栓刃挿入口７１、電力線通信装置のコネクタ５、ＡＣ／ＤＣアダプタ用トレイ９が設けられる。
【００２３】
電線３１は、ハウジング２０上面の接続保持手段６に設けられている電極３２に接続されてハウジング２０内の機器に電力や電力線通信用の信号（以下、通信信号という）を伝送するもので、コンセント部７の刃受けに接続するための電線と、電力線通信装置を構成する各機器（後述する）に電力を供給する電線と、電力線通信装置に通信信号を伝送する電線と、電力線通信装置の各機器を結ぶ電線と、からなる。
【００２４】
コンセント部７は、図６に示すように、ハウジング２０内に収納され電線３１を介して電力線ＰＬに接続される刃受けと、ハウジング２０の表面に設けられ他の機器８に電力を供給する電源ケーブル８４の電源プラグの栓刃が挿入されて刃受けに接続される栓刃挿入口７１と、からなるものである。
【００２５】
次に、ハウジング２０を配線ダクトＤに装着するため接続保持手段６について図２乃至図５に基づいて説明する。接続保持手段６は、ハウジング２０の上面（天面壁部の上面）に設けられ、配線ダクトＤの開口１４内に下方より挿入されて配線ダクトＤの底壁１１によってハウジング２０を支持させるものである。ハウジング２０の天面壁部の上面からは、ハウジング２０の長手方向に沿った長尺の立設片２８が二つ立設してあり、この立設片２８は、配線ダクトＤのケース１の側壁１２の下端部を下方より被嵌するもので、ハウジング２０の天面壁部の両立設片２８間の部分に接続保持手段６が設けられる。
【００２６】
接続保持手段６は、ハウジング２０の天面壁部に形成した開口穴（図示せず）に回転自在に装着されて上方に突出する挿入部６１で主体が構成される。挿入部６１の開口穴に装着される部分は、図示はしないが、天面壁部の下面側に当接する開口穴より大径の下フランジ部と、天面壁部の上面側に当接する開口穴より大径の上フランジ部と、からなり、これらによりハウジング２０に抜け止めされた状態で装着される。挿入部６１は、配線ダクトＤの開口１４内に挿入されるもので、側面からは係止部６２を側方に突設してある。係止部６２は、挿入部６１の周方向の互いに反対側となる二ヶ所から側方に突出するもので、両係止部６２の先端間の長さは、配線ダクトＤの開口１４幅よりも長く且つ配線ダクトＤの両側壁１２間の距離よりも短く形成してあり、また、係止部６２の幅は、配線ダクトＤの開口１４幅よりも短く形成してある。これにより、両係止部６２の先端を結ぶ方向を配線ダクトＤの開口１４の長手方向にした状態でこの開口１４内に挿入し、挿入部６１を回転させて、両係止部６２の先端側の部分を配線ダクトＤの底壁１１の上面に載置して係止させて、ハウジング２０を配線ダクトＤに支持させるものである。
【００２７】
本実施形態においては、このような挿入部６１はハウジング２０の長手方向の両側二ヶ所に設けてあり、いずれか一方にはレバー６３が設けてある。
【００２８】
レバー６３は、いずれか一方の挿入部６１から側方に突設され、ハウジング２０の開口１４を介して外方に突出するかあるいは挿入部６１のハウジング２０外の部分から突設して、レバー６３を操作して側方に回転させることで挿入部６１を回転させるようにしたものである。
【００２９】
また、挿入部６１には電極３２が設けてある。この挿入部６１は、ハウジング２を装着した際に配線ダクトＤの上壁１３の内面に設けたアース導体１６付近にまで達する長さに形成してあり、その側面からは、係止部６２を突設した部分よりも上側の部分から栓刃からなる電極３２を突設するとともに、挿入部６１の先端に接地ピン３３が突設してある。電極３２は、係止部６２と同様に挿入部６１の周方向の互いに反対側となる二ヶ所から側方に突出するもので、図４に示すように、両電極３２の先端を結ぶ方向を配線ダクトＤの開口１４の長手方向にした状態でこの開口１４内に挿入し、挿入部６１を回転させて、図５に示すように、係止部６２が配線ダクトＤの底壁１１に係止した状態で両電極３２の先端部が配線ダクトＤの側壁１２に設けた導体１０に接触して導通されるものである。この電極３２には、挿入部６１の内部を通してハウジング２０内の機器と電気的に接続する上述した電線３１が接続されている。また、接地ピン３３は、挿入部６１の係止部６２が配線ダクトＤの底壁１１に係止した状態で配線ダクトＤの上壁１３の内面に設けてあるアース導体１６に接続される。このような接続保持手段６によって、コンセントプラグ２のハウジング２０を配線ダクトＤに装着することで、配線ダクトＤ内に挿入される挿入部６１から突出する係止部６２によって配線ダクトＤに装着して機械的な固定が行われるとともに、配線ダクトＤ内の導体１０への電気的な接続がなされて、別途コンセント部を設けてコンセントプラグ２に電力を供給するといった必要がなく、別途設けるコンセント部が不要となるとともに、ハウジング２０を配線ダクトＤに装着するだけで機械的な固定と電気的な接続がなされて取り付けが容易に行われるものである。
【００３０】
これにより、他の機器８に電力を供給する電源ケーブル８４の電源プラグの栓刃を栓刃挿入口７１に挿入して、この他の機器８に電力を供給することができる。
【００３１】
次に、電力線通信装置について説明する。電力線通信装置は、上述したようにインターフェース部４とコネクタ５とで主体が構成される。
【００３２】
インターフェース部４に通信信号を伝送する一対の電線３１は、直流カット用のコンデンサ２１並びに絶縁トランス２２を介してインターフェース部４に接続される。また、インターフェース部４の各機器に電力を供給する電線３１には、途中にＡＣ／ＤＣコンバータからなる電源部２３が接続されている。
【００３３】
インターフェース部４は、送受信部４０と、電力線通信用モデム４１と、通信インタフェース４２と、制御部４３と、で構成される。
【００３４】
送受信部４０は、絶縁トランス２２の二次側に接続されて電力線ＰＬとの間で通信信号を送受信するためのもので、電力線通信用モデム４１に接続される。電力線通信用モデム４１は、電力線ＰＬに重畳して伝送される所定形式の通信信号からデータ信号を復調する復調機能、並びに、パーソナルコンピュータ等のコンピュータやコンピュータを内蔵した通信機器８１側からのデータ信号を所定形式の通信信号に変調する変調機能を有するＰＬＣモデムで、通信インタフェース４２に接続される。通信インタフェース４２は、例えば１００ＢＡＳＥ−ＴＸ等のEthernet（登録商標）の規格に準拠して通信機器８１との間でデータ信号を送受信するためのＬＡＮコントローラで、コネクタ５に接続される。また、これら電力線通信用モデム４１、通信インタフェース４２は、制御部４３により制御される。制御部４３は、ＣＰＵを主構成要素としてインターフェース部４全体の制御を行うもので、例えば電力線通信用モデム４１と通信インタフェース４２との間で伝送するデータ（パケット）のフィルタリングなどのセキュリティ機能や、データ伝送中といった通信状態を表示するため表示部４４を制御して、表示部４４が有する表示素子ＬＤを発光させる機能等を有している。これら送受信部４０、電力線通信用モデム４１、通信インタフェース４２、制御部４３といったインターフェース部４の機器は電源部２３で作成される直流電源によって動作する。
【００３５】
コネクタ５は、通信機器８１に接続される通信ケーブル８２の先端に取り付けられるコネクタ（雄）が挿抜自在に接続される受け側（雌）のコネクタで、通信ケーブル８２が例えばＣＡＴ５のＬＡＮケーブルである場合には、その先端に取り付けられるＲＪ−４５のモジュラプラグが挿抜自在に接続されるＲＪ−４５のモジュラジャックで構成される。コネクタ５は、本実施形態ではハウジング２０の配線ダクトＤの長手方向の側面に形成してあるが、配線ダクトＤの短手方向の側面に形成したり下面に形成してもよい。
【００３６】
また、図７に示すように、ハウジング２０内に収納される電線３１の電極３２とコンセント部７の刃受けとの間の部分に、コモンモードチョークコイルＣＣとコンデンサＣＤとによって構成されるブロッキングフィルタＢＦを設けてもよいものである。コモンモードチョークコイルＣＣにより、栓刃挿入口７１に挿入された栓刃および刃受けを介して接続される電気機器のインピーダンスを改善してコモンモードノイズを低減することができると共に、コンデンサＣＤにより、電気機器から発生する通信信号帯域のノイズを低減させることができて、ブロッキングフィルタＢＦを設けない場合と比較して電気機器への電力の伝送性能が向上する。
【００３７】
また、図７に示すように、ＬＡＮコントローラとしてスイッチング機能を有するスイッチングハブ４５を設けてもよいものである。これにより、複数の通信機器８の通信ケーブル８０をコネクタ５に接続して、一つのコンセントプラグ２にて複数の通信機器８の通信を行うことが可能となり、複数のコンセントプラグ２を用いずに済むため省スペース化および省コスト化が図られる。
【００３８】
次に、本発明のＡＣ／ＤＣアダプタ用トレイ９について、図１に示す実施形態に基づいて説明する。
【００３９】
ＡＣ／ＤＣアダプタ用トレイ９は、ハウジング２０の外側に設けられ、他の機器８に直流を供給するＡＣ／ＤＣアダプタ８５を載置するためのもので、ＡＣ／ＤＣアダプタ８５が載置される底面部９１と、底面部９１の端縁から立設される側壁部９２とで主体が構成される。底面部９１は板状をしたもので、本実施形態では、平面視略矩形状となっている。そして、底面部９１の端縁からは、側壁部９２が立設されるが、全ての端縁から立設するものであってもよいし、一部の端縁から立設するものであってもよく、本実施形態では全ての端縁から立設されている。底面部９１は略水平となるように配設されてこの上にＡＣ／ＤＣアダプタ８５が載置され、この載置されたＡＣ／ＤＣアダプタ８５が底面部９１から脱落しないように側壁部９２によって規制される。また、側壁部９２には、ＡＣ／ＤＣアダプタ８５に接続される電源ケーブル８４を挿通させるための切欠または開口からなる挿通部９２ａが形成されていて、電源ケーブル８４がＡＣ／ＤＣアダプタ用トレイ９の内外に挿通される。
【００４０】
また本実施形態では、ＡＣ／ＤＣアダプタ用トレイ９はハウジング２０に対して着脱自在となっている。ＡＣ／ＤＣアダプタ用トレイ９の一側壁部９２の先端に、断面が略逆Ｕ字状または下方に開口する略コ字状といったように先端が下方を向く鉤状をした係止部９２ｂを形成し、係止部９２ｂの先端をハウジング２０の側面に貫通形成した被係止孔２９ａに挿入して引っ掛け係止して、ＡＣ／ＤＣアダプタ用トレイ９をハウジング２０に取り付けるものである。
【００４１】
この配線ダクト用コンセントプラグ２は、図８に示すように、配線ダクトＤに装着した状態で、デジタルカメラやパーソナルコンピュータ等の他の機器８に直流を供給するＡＣ／ＤＣアダプタ８５の電源ケーブル８４の電源プラグの栓刃を栓刃挿入口７１に挿入し、デジタルカメラやパーソナルコンピュータ等の他の機器８は、配線ダクトＤに装着したり床や机や台の上に載置し、ＡＣ／ＤＣアダプタ８５は、配線ダクト用コンセントプラグ２のハウジング２０に設けたＡＣ／ＤＣアダプタ用トレイ９に載置する。図８中の符号Ｂは分電盤である。
【００４２】
以上のような構成によれば、他の機器８へ直流を供給するＡＣ／ＤＣアダプタ８５の電源ケーブル８４を栓刃挿入口７１に接続して使用する場合、ＡＣ／ＤＣアダプタ８５が配線ダクトＤの下方で宙に浮いた状態となってしまったり、浮いた状態とならないようにコード等でＡＣ／ＤＣアダプタ８５やその電源ケーブル８４を配線ダクトＤや配線ダクト用コンセントプラグ２に括り付けて固定した場合に手間がかかる上に見栄えが悪くなってしまう、といったことがなく、ＡＣ／ＤＣアダプタ用トレイ９に載置するだけでＡＣ／ＤＣアダプタ８５が宙に浮かずに固定されると共に見栄えが悪くならず、手間もかからないものである。
【００４３】
次に、他の実施形態のＡＣ／ＤＣアダプタ用トレイ９について図９に基づいて説明する。
【００４４】
本実施形態のＡＣ／ＤＣアダプタ用トレイ９も、底面部９１と側壁部９２とで主体が構成される点は上実施形態と同じであるが、ＡＣ／ＤＣアダプタ用トレイ９をスライドして引き出し／収納自在としたことに特徴を有する。
【００４５】
ハウジング２０は、平面視において同じ矩形状をした下ハウジング２０ａと上ハウジング２０ｂと、これら下ハウジング２０ａと上ハウジング２０ｂとの間に位置するトレイ収納部２０ｃと、からなる。下ハウジング２０ａと上ハウジング２０ｂはそれぞれ略箱状をしており、下ハウジング２０ａには電線３１、コンセント部７の刃受けと栓刃挿入口７１、電力線通信装置のインターフェース部４とコネクタ５、が収納され、上ハウジング２０ｂには接続保持手段６が設けられる。そして、下ハウジング２０ａと上ハウジング２０ｂの側面部とを、トレイ収納部２０ｃの側面部となる縦板部２０ｄで連結した状態として、下ハウジング２０ａの上面と上ハウジング２０ｂの下面との間で且つ両縦板部２０ｄの間の部分をＡＣ／ＤＣアダプタ用トレイ９が収納されるトレイ収納空間Ｓとしている。
【００４６】
ＡＣ／ＤＣアダプタ用トレイ９の引き出し方向の手前側および奥側の側壁部９２には挿通部９２ａが形成してある。また、ＡＣ／ＤＣアダプタ用トレイ９の引き出し方向の長さは、トレイ収納空間Ｓの引き出し方向の長さよりも短く形成してあり、ＡＣ／ＤＣアダプタ用トレイ９を前記空間に収納した状態においてトレイ収納空間Ｓの奥側に若干のスペースが形成されるため、このスペースに上ハウジング２０ｂの電極３２と下ハウジング２０ａの機器とを接続する電線３１を挿通させている。
【００４７】
このようにすることで、平面視において配線ダクト用コンセントプラグ２にの設置スペースとは別にＡＣ／ＤＣアダプタ用トレイ９の設置スペースを確保する必要がないものである。また、ＡＣ／ＤＣアダプタ用トレイ９をスライドして出入れ自在としたことで、ＡＣ／ＤＣアダプタ８５をＡＣ／ＤＣアダプタ用トレイ９に載置する時には、ＡＣ／ＤＣアダプタ用トレイ９を引き出すことができて、載置し易いものである。
【００４８】
次に、更に他の実施形態のＡＣ／ＤＣアダプタ用トレイ９について図１０に基づいて説明する。
【００４９】
本実施形態のＡＣ／ＤＣアダプタ用トレイ９も、底面部９１と側壁部９２とで主体が構成される点は上実施形態と同じであるが、底面部９１の一端縁を枢支してＡＣ／ＤＣアダプタ用トレイ９を回動自在としたことに特徴を有する。
【００５０】
底面部９１の一端縁をハウジング２０の一側面に略水平に枢支すると共に、底面部９１の前記ハウジング２０に枢支した側と反対側の端縁から側壁部９２を立設し、底面部９１が略水平となる状態と、底面部９１がハウジング２０の一側面に沿って起立した状態との間でＡＣ／ＤＣアダプタ用トレイ９が回動自在となるようにしてある。底面部９１の側端縁から上方に突設した円弧状をした円弧板部９３を、ハウジング２０の一側面に形成した挿通孔２９ｂに挿通させ、前記円弧板部９３の先端に形成されハウジング２０内に位置する抜け止め部（図示せず）によって円弧板部９３の移動の規制がなされて、底面部９１が略水平となる状態が維持される。
【００５１】
このような構成とすることで、ＡＣ／ＤＣアダプタ用トレイ９を使用しない場合、底面部９１が起立した状態としてデッドスペースを殆ど無くすことができて、コンパクトに納めることが可能となる。
【００５２】
次に、更に他の実施形態のＡＣ／ＤＣアダプタ用トレイ９について図１１に基づいて説明する。
【００５３】
本実施形態のＡＣ／ＤＣアダプタ用トレイ９も、底面部９１と側壁部９２とで主体が構成される点は上実施形態と同じであるが、底面部９１を上下スライド自在としたことに特徴を有する。
【００５４】
底面部９１の対向する一対の端縁から立設する側壁部９２の上部をハウジング２０の側面に上下スライド自在に支持させる。これは、図示はしないが、側壁部９２にダボ又はダボ孔、あるいは係止爪等を形成し、一方、これに対応するハウジング２０の側面部分に、前記ダボ又はダボ孔に対応するダボ孔又はダボ、あるいは係止爪が係止される被係止部等を形成し、上下にスライドして係止させたりすることで容易に達成できる。また、他の手段によって上下スライド自在に支持させてもよい。
【００５５】
ＡＣ／ＤＣアダプタ用トレイ９にＡＣ／ＤＣアダプタ８５を載置する場合、ＡＣ／ＤＣアダプタ用トレイ９を下にスライドさせて、底面部９１がハウジング２０の下面から所定間隔をあけて下側に位置する状態とし、ＡＣ／ＤＣアダプタ用トレイ９を使用しない場合、底面部９１がハウジング２０の下面に沿う状態としてデッドスペースを殆ど無くすことができて、コンパクトに納めることが可能となる。
【図面の簡単な説明】
【００５６】
【図１】本発明の配線ダクト用コンセントプラグの一実施形態を上方より見た斜視図である。
【図２】配線ダクト用コンセントプラグの本体（ＡＣ／ＤＣアダプタ用トレイを取り付けていない状態）を配線ダクトに取り付けた状態を示し、（ａ）は断面図であり、（ｂ）は下方より見た斜視図である。
【図３】同上の配線ダクト用コンセントプラグの本体を上方より見た斜視図である。
【図４】同上においてハウジングを配線ダクトに着脱する際の接続保持手段の状態を示す図であり、（ａ）は上面図であり、（ｂ）は正面図であり、（ｃ）は側面図である。
【図５】同上においてハウジングを配線ダクトに装着した際の接続保持手段の状態を示す図であり、（ａ）は上面図であり、（ｂ）は正面図であり、（ｃ）は側面図である。
【図６】同上の配線ダクト用コンセントプラグのブロック図である。
【図７】配線ダクト用コンセントプラグのブロック図の他例である。
【図８】同上の配線ダクト用コンセントプラグを用いた電力線通信システムの一例の構成図である。
【図９】他の実施形態を下方より見た斜視図である。
【図１０】更に他の実施形態を上方より見た斜視図である。
【図１１】更に他の実施形態を下方より見た斜視図である。
【符号の説明】
【００５７】
２０  ハウジング
３２  電極
６    接続保持手段
７１  栓刃挿入口
８    他の機器
８４  電源ケーブル
９    ＡＣ／ＤＣアダプタ用トレイ
ＰＬ  電力線
Ｄ    配線ダクト
【図１】
2008182854.tif 000003
【図２】
2008182854.tif 000004
【図３】
2008182854.tif 000005
【図４】
2008182854.tif 000006
【図５】
2008182854.tif 000007
【図６】
2008182854.tif 000008
【図７】
2008182854.tif 000009
【図８】
2008182854.tif 000010
【図９】
2008182854.tif 000011
【図１０】
2008182854.tif 000012
【図１１】
2008182854.tif 000013